(57)【要約】【課題】倍率の変更やズーム範囲の変更などの撮影条件を変更することを可能にするカメラ機能付き携帯電話装置を提供する。【解決手段】ヒンジ機構１３を介して相互に回転可能に結合されている第一の筐体１１と第二の筐体１２とを備え、第一の筐体１１の表面１１１に第一の表示手段１５が形成されているカメラ機構付き携帯電話装置において、第一の筐体１１の表面１１１にはレンズ２０が配置され、第二の筐体１２の表面１２１には、第一及び第二の筐体１１、１２を相互に折り畳んだときにレンズ２０に対向する位置に拡張レンズ３０が配置されている。【選択図】　　図１
2004080343.tif 000002
【特許請求の範囲】
【請求項１】
第一の筐体と、前記第一の筐体に対して回転可能に前記第一の筐体に結合された第二の筐体とを備え、前記第一及び第二の筐体を相互に折り畳んだときに内側になる前記第一の筐体の表面に第一の表示手段が形成されており、かつ、カメラ機構を内蔵している携帯電話装置において、
前記表面には前記カメラ機構のレンズが配置されており、
前記第一及び第二の筐体を相互に折り畳んだときに内側になる前記第二の筐体の表面には、前記第一及び第二の筐体を相互に折り畳んだときに前記レンズに対向する位置に前記レンズに対する補助部材が配置されていることを特徴とする携帯電話装置。
【請求項２】
前記補助部材は前記第二の筐体に対して着脱自在に取り付けられていることを特徴とする請求項１に記載の携帯電話装置。
【請求項３】
前記補助部材は、前記レンズの倍率を変更する第二のレンズまたは前記レンズに対するフィルターであることを特徴とする請求項１または２に記載の携帯電話装置。
【請求項４】
前記第一及び第二の筐体を相互に折り畳んだときに外側になる前記第一の筐体の表面に第二の表示手段が形成されていることを特徴とする請求項１乃至３の何れか一項に記載の携帯電話装置。
【発明の詳細な説明】
【０００１】
【発明の属する技術分野】
本発明は、携帯電話装置に関し、特に、カメラ機能を有する折り畳み型の携帯電話装置に関する。
【０００２】
【従来の技術】
近年、電話機としての機能とカメラとしての機能とを併せた複合機能を備えたカメラ付き携帯電話装置が提案されており、広くユーザーに受け入れられているとともに、ユーザーのニーズも広がっている。このようなカメラ機能を有する携帯電話装置は、カメラで撮像した画像を電子メールに添付して、相手方に送信することができるようになっている。
【０００３】
【発明が解決しようとする課題】
しかしながら、従来のカメラ機能付き携帯電話装置においては、例えば、標準で設定された倍率でしか画像を撮影することができず、接写などの倍率を変更しての撮像は不可能であった。
【０００４】
あるいは、従来のカメラ機能付き携帯電話装置は、予め設定されたズームの範囲でしか画像を撮像することができず、望遠による画像の撮像を行うことは不可能であった。
【０００５】
さらには、画像は自然色でしか撮像することができず、所望の色に着色して撮像することも不可能であった。
【０００６】
このように、従来のカメラ機能付き携帯電話装置は必ずしも幅広い撮影シーンに対応することはできなかった。
【０００７】
本発明は、以上の問題点に鑑みてなされたものであり、倍率の変更やズーム範囲の変更などの撮影条件を変更することを可能にするカメラ機能付き携帯電話装置を提供することを目的とする。
【０００８】
【課題を解決するための手段】
この目的を達成するため、本発明は、第一の筐体と、前記第一の筐体に対して回転可能に前記第一の筐体に結合された第二の筐体とを備え、前記第一及び第二の筐体を相互に折り畳んだときに内側になる前記第一の筐体の表面に第一の表示手段が形成されており、かつ、カメラ機構を内蔵している携帯電話装置において、前記表面には前記カメラ機構のレンズが配置されており、前記第一及び第二の筐体を相互に折り畳んだときに内側になる前記第二の筐体の表面には、前記第一及び第二の筐体を相互に折り畳んだときに前記レンズに対向する位置に前記レンズに対する補助部材が配置されていることを特徴とする携帯電話装置を提供する。
【０００９】
前記補助部材は前記第二の筐体に対して着脱自在に取り付けられるように構成することができる。
【００１０】
前記補助部材としては、例えば、前記レンズの倍率を変更する第二のレンズまたは前記レンズに対するフィルターを用いることができる。
【００１１】
本携帯電装置においては、前記第一及び第二の筐体を相互に折り畳んだときに外側になる前記第一の筐体の表面に第二の表示手段を形成することができる。
【００１２】
【発明の実施の形態】
図１及び図２は本発明の第一の実施形態に係る携帯電話装置１０の斜視図である。図１は、開いた状態における携帯電話装置１０の斜視図であり、図２は、閉じた状態における携帯電話装置１０の斜視図である。
【００１３】
本実施形態に係る携帯電話装置１０は、第一の筐体１１と、第二の筐体１２とを備えている。第一の筐体１１と第二の筐体１２とはそれらの一端においてヒンジ機構１３を介して接続されており、第一の筐体１１と第二の筐体１２とはそれらの一端を中心として相互に回転可能に結合されている。すなわち、第一の筐体１１と第二の筐体１２とは、図１に示すような相互に開いた状態と、図２に示すような相互に閉じた状態とをとることができる。
【００１４】
第一の筐体１１及び第二の筐体１２を相互に折り畳んだときに内側になる第二の筐体１２の表面１２１にはテンキーその他通信操作を行うために必要な複数個の操作用ボタン１４が配列されている。
【００１５】
また、第一の筐体１１及び第二の筐体１２を相互に折り畳んだときに内側になる第一の筐体１１の表面１１１の中央には第一の表示手段としての液晶表示ディスプレイ１５が配置されている。液晶表示ディスプレイ１５には、携帯電話装置１０の通信操作時には、発着呼の電話番号やメールの文章が表示される。
【００１６】
また、第一の筐体１１の背面側には伸縮可能なアンテナ１６が配置されている。
【００１７】
本実施形態に係る携帯電話装置１０は電話機としての機能の他に、カメラとしての機能を内蔵している。本実施形態に係る携帯電話装置１０をカメラとして使用する場合には、撮影した画像は液晶表示ディスプレイ１５に表示される。
【００１８】
第一の筐体１１の表面１１１の液晶表示ディスプレイ１５の上方にはカメラのレンズ２０が露出している。
【００１９】
さらに、第二の筐体１２の表面１２１には、第一の筐体１１及び第二の筐体１２を相互に折り畳んだときにレンズ２０に対向する位置に、レンズ２０に対する補助部材としての拡張レンズ３０が配置されている。図２に示すように、拡張レンズ３０は、一方の面が第二の筐体１２の表面１２１に、他方の面が第二の筐体１２の裏面に露出するように、配置されている。
【００２０】
以上のような構造を有する本実施形態に係る携帯電話装置１０は次のようにして用いられる。
【００２１】
本実施形態に係る携帯電話装置１０によって、ユーザがユーザ自身を撮影する場合には、第一の筐体１１と第二の筐体１２とを相互に開いた状態に維持し、カメラのレンズ２０をユーザに向ける。この場合、ユーザは第一の筐体１１の表面１１１に配置されている液晶表示ディスプレイ１５をファインダとして使用することができる。すなわち、ユーザは、液晶表示ディスプレイ１５に表示されているユーザ自身の画像を見ながら、ユーザの撮影を行うことができる。
【００２２】
図１に示すように、第一の筐体１１と第二の筐体１２とを相互に開いた状態において、カメラで被写体を撮影する場合には、レンズ２０の倍率で画像を撮像することができる。
【００２３】
これに対して、図２に示すように、第一の筐体１１と第二の筐体１２とを相互に閉じた状態においては、カメラのレンズ２０と拡張レンズ３０とが相互に対向し合う。このため、第一の筐体１１と第二の筐体１２とを相互に閉じた状態において、カメラで被写体を撮影する場合には、レンズ２０及び拡張レンズ３０の双方を介して被写体が撮影されることになるため、カメラの撮影の倍率を変えることができる。
【００２４】
具体的には、レンズ２０の倍率をＡ、拡張レンズ３０の倍率をＢとすれば、Ａ×Ｂの倍率で被写体を撮影することができる。
【００２５】
本実施形態においては、レンズ２０に対する補助部材として、レンズ２０の倍率をさらに拡大する拡張レンズ３０を用いたが、レンズ２０に対する補助部材は拡張レンズ３０には限定されない。
【００２６】
例えば、必要であれば、レンズ２０の倍率を下げるレンズを補助部材として使用することも可能である。あるいは、カメラに予め設定されたズームの範囲を広げるような部材を用いることも可能である。さらには、補助部材として着色フィルターを用い、画像を所望の色に着色した状態で撮像することも可能である。また、補助部材として、ＮＤフィルターや特殊フィルターその他の各種フィルターを用いることも可能である。
【００２７】
図３及び図４は本発明の第二の実施形態に係る携帯電話装置５０の斜視図である。
【００２８】
図１及び図２に示した第一の実施形態に係る携帯電話装置１０においては、レンズ２０に対する補助部材としての拡張レンズ３０は第二の筐体１２に対して固定されていたが、第二の実施形態における拡張レンズ３１は第二の筐体１２に対して着脱自在であるように構成されている。図３は、拡張レンズ３１を第二の筐体１２に取り付けた状態における携帯電話装置５０の斜視図であり、図４は、拡張レンズ３１を第二の筐体１２から取り外した状態における携帯電話装置５０の斜視図である。
【００２９】
図４に示すように、本実施形態における拡張レンズ３１はブロック３２に取り付けられている。第二の筐体１２の側面にはブロック３２と嵌合する形状の凹部１２２が形成されておりブロック３２を凹部１２２に出し入れすることにより、拡張レンズ３１は第二の筐体１２ひいては携帯電話装置５０に対して着脱自在となっている。
【００３０】
第二の筐体１２の側面にはスライド部材４０が設けられている。スライド部材４０には固定用バー（図示せず）が固定されており、スライド部材４０を凹部１２２の方向にスライドさせることにより、凹部１２２の内部に固定用バーが飛び出るようになっている。
【００３１】
ブロック３２には固定用バーが嵌合し得る孔が形成されており、ブロック３２を凹部１２２に嵌め入れた後、スライド部材４０を凹部１２２の方向にスライドさせ、固定用バーを移動させることにより、固定用バーがブロック３２に形成された孔に嵌合し、ブロック３２が第二の筐体１２に対して固定される。
【００３２】
スライド部材４０を凹部１２２とは反対の方向にスライドさせることにより、固定用バーはブロック３２に形成された孔から抜け出すため、ブロック３２の第二の筐体１２に対する固定状態を解除することができ、ブロック３２を第二の筐体１２から取り外すことができる。
【００３３】
本実施形態に係る携帯電話装置５０によれば、第一の実施形態に係る携帯電話装置１０と同様の効果を得ることができるとともに、拡張レンズ３１を、例えば、倍率の異なるレンズ、ズーム機構、着色フィルターあるいは特殊フィルターなどに交換することができ、幅広い撮影シーンに対応することができる。
【００３４】
図５は、本発明の第三の実施形態に係る携帯電話装置６０を、開いた状態において、後方から見たときの平面図である。
【００３５】
本実施形態に係る携帯電話装置６０においては、第一の筐体１１及び第二の筐体１２を相互に折り畳んだときに外側になる第一の筐体１１の表面１１２に第二の表示手段としての第二液晶表示ディスプレイ７０が形成されている。
【００３６】
第二液晶表示ディスプレイ７０が形成されている点を除いて、本実施形態に係る携帯電話装置６０は第一の実施形態に係る携帯電話装置１０と同じ構造を有している。
【００３７】
第二液晶表示ディスプレイ７０には、例えば、第一の筐体１１及び第二の筐体１２を相互に折り畳んだ状態における着信待機時に着呼番号が表示されるとともに、本実施形態に係る携帯電話装置６０をカメラとして使用した場合に、撮影した画像が表示される。
【００３８】
図６は、本実施形態に係る携帯電話装置６０の回路構造を示すブロック図である。以下、図６を参照して、本実施形態に係る携帯電話装置６０の回路構造を説明する。
【００３９】
本実施形態に係る携帯電話装置６０は、カメラ部２０１と、カメラインターフェイス部２０２と、画像メモリインターフェイス部２０３と、画像メモリ２０４と、第一の液晶表示ディスプレイインターフェイス部２０８と、液晶表示ディスプレイ１５と、第二の液晶表示ディスプレイインターフェイス部２１０と、第二液晶表示ディスプレイ７０と、制御部２１２と、から構成されている。
【００４０】
画像メモリ２０４には、カメラ画像データ２０５と、汎用画像データ２０６、２０７が格納されている。また、制御部２１２は、中央処理装置（ＣＰＵ）２１３とメモリ２１４とを備えている。
【００４１】
カメラ部２０１は、被写体の画像を撮像し、それを画像データに変換する。
【００４２】
カメラインターフェイス部２０２は、カメラ部２０１から画像データを取り込み、画像サイズの加工その他の必要な処理を行う。
【００４３】
画像メモリインターフェイス部２０３は、カメラインターフェイス部２０２と画像メモリ２０４と制御部２１２と第一の液晶表示ディスプレイインターフェイス部２０８と第二の液晶表示ディスプレイインターフェイス部２１０との間における画像データ及び各種制御信号の入出力制御を行う。
【００４４】
画像メモリ２０４は、カメラ部２０１により撮影された画像データをカメラ画像データとして格納し、さらに、制御部２１２からの通信操作表示等に使用される汎用画像のデータを汎用画像データ２０６、２０７として格納する。
【００４５】
第一の液晶表示ディスプレイインターフェイス部２０８は、画像メモリインターフェイス部２０３から送られてきた画像データを液晶表示ディスプレイ１５に転送する。同様に、第二の液晶表示ディスプレイインターフェイス部２１０は、画像メモリインターフェイス部２０３から送られてきた画像データを第二液晶表示ディスプレイ７０に転送する。
【００４６】
液晶表示ディスプレイ１５は、発着呼の電話番号や電子メールの文章と、撮像された画像とを画面を分割して同時にまたは切り替えて別々に表示する。第二液晶表示ディスプレイ７０は、着信待機状態における着呼番号と、撮像された画像とを画面を分割して同時にまたは切り替えて別々に表示する。液晶表示ディスプレイ１５及び第二液晶表示ディスプレイ７０の画面サイズは同じであってもよく、あるいは、異なっていてもよい。本実施形態においては、第二液晶表示ディスプレイ７０の画面サイズは液晶表示ディスプレイ１５の画面サイズよりも小さく設定されている。
【００４７】
制御部２１２における中央処理装置２１３はメモリ２１４に格納されているプログラムまたはデータを用いて携帯電話装置６０の全体の動作を制御する。
【００４８】
以下、本実施形態に係る携帯電話装置６０の動作を説明する。
【００４９】
カメラ部２０１から送信される画像データは、カメラインターフェイス部２０２において、制御部２１２からの指示に基づいて、画像の切り出しや縮小その他の処理を施された後、画像メモリインターフェイス部２０３を介して画像メモリ２０４に送られ、カメラ画像データ２０５として格納される。
【００５０】
カメラ部２０１からの画像データは、例えば、１５フレーム／秒の一定周期で供給され、画像メモリインターフェイス部２０３は同じ速度で、または、所定の割合でフレームを間引くことにより遅くした速度で、画像メモリ２０４内のカメラ画像データ２０５を更新する。
【００５１】
画像メモリインターフェイス部２０３は、カメラインターフェイス部２０２からのカメラ画像データの他に、制御部２１２からの画像データを汎用画像データ２０６、２０７として画像メモリ２０４に格納する。
【００５２】
また、画像メモリインターフェイス部２０３は、画像メモリ２０４に格納されているカメラ画像データ２０５及び汎用画像データ２０６、２０７を読み出し、第一の液晶表示ディスプレイインターフェイス部２０８と第二の液晶表示ディスプレイインターフェイス部２１０と制御部２１２とに転送する。
【００５３】
第一の液晶表示ディスプレイインターフェイス部２０８は、画像メモリインターフェイス部２０３から供給されたカメラ画像データ２０５または汎用画像データ２０６、２０７を液晶表示ディスプレイ１５において表示できる画像サイズに加工し、液晶表示ディスプレイ１５に転送する。これにより、液晶表示ディスプレイ１５において、カメラ部２０１で撮影された画像または制御部２１２からの画像データの表示が行われる。
【００５４】
第二の液晶表示ディスプレイインターフェイス部２１０は、画像メモリインターフェイス部２０３から供給されたカメラ画像データ２０５または汎用画像データ２０６、２０７を第二液晶表示ディスプレイ７０において表示できる画像サイズに加工し、第二液晶表示ディスプレイ７０に転送する。これにより、第二液晶表示ディスプレイ７０において、カメラ部２０１で撮影された画像または制御部２１２からの画像データが表示される。
【００５５】
以下、本実施形態に係る携帯電話装置６０の使用例を説明する。
【００５６】
本実施形態に係る携帯電話装置６０によって、ユーザがユーザ以外の被写体を撮影する場合、第一の筐体１１と第二の筐体１２とが相互に開いている場合にはカメラのレンズ２０を被写体に向け、第一の筐体１１と第二の筐体１２とが相互に閉じている場合には拡張レンズ３０を被写体に向け、撮影を行う。この場合、ユーザは第一の筐体１１の裏面１１２に配置されている第二液晶表示ディスプレイ７０をファインダとして使用することができる。すなわち、ユーザは、第二液晶表示ディスプレイ７０に表示されている被写体の画像を見ながら、被写体の撮影を行うことができる。
【００５７】
また、本実施形態に係る携帯電話装置６０によって、ユーザがユーザ自身を撮影する場合には、第一の筐体１１と第二の筐体１２とを相互に開いた状態に維持し、カメラのレンズ２０をユーザに向ける。この場合、ユーザは第一の筐体１１の表面１１１に配置されている液晶表示ディスプレイ１５をファインダとして使用することができる。すなわち、ユーザは、液晶表示ディスプレイ１５に表示されているユーザ自身の画像を見ながら、ユーザの撮影を行うことができる。
【００５８】
このように、本実施形態に係る携帯電話装置６０は第一の筐体１１の表面１１１と裏面１１２にそれぞれ液晶表示ディスプレイ１５及び第二液晶表示ディスプレイ７０を有しているので、ユーザがユーザ以外の被写体を撮影する場合には、レンズ２０または拡張レンズ３０を被写体に向けて撮影することにより、第一の筐体１１の裏面１１２に配置されている第二液晶表示ディスプレイ７０をファインダとしてユーザ以外の被写体の画像を確認しながら、撮影することができる。
【００５９】
また、ユーザがユーザ自身を撮影する場合には、レンズ２０をユーザに向けて撮影することにより、第一の筐体１１の表面１１１に配置されている液晶表示ディスプレイ１５をファインダとしてユーザ自身の画像を確認しながら、撮影することができる。
【００６０】
なお、上記の実施形態においては、表示手段として液晶表示ディスプレイ１５及び／または第二液晶表示ディスプレイ７０を用いた例を説明したが、表示手段はこれらの液晶表示ディスプレイには限定されない。例えば、表示手段として、エレクトロルミネセンス（Ｅｌｅｃｔｒｏｌｕｍｉｎｅｓｃｅｎｃｅ）素子またはプラズマディスプレイパネル（Ｐｌａｓｍａ　Ｄｉｓｐｌａｙ　Ｐａｎｅｌ）を用いることも可能である。
【００６１】
また、上記の実施形態においては、液晶表示ディスプレイ１５及び／または第二液晶表示ディスプレイ７０をファインダとして用いたが、それらとは別個にファインダを設け、画像を光学的に処理することも可能である。
【００６２】
【発明の効果】
本発明に係る携帯電話装置によれば、第一の筐体と第二の筐体とを相互に閉じた状態においては、カメラのレンズと補助部材とが相互に対向し合う。このため、第一の筐体と第二の筐体とを相互に閉じた状態において、カメラで被写体を撮影する場合には、補助部材によりレンズの特性を変えた状態で被写体を撮影することができる。例えば、補助部材として倍率を変更するレンズを用いた場合には、レンズの倍率とは異なる倍率で画像を撮影することができる。あるいは、補助部材として着色フィルターを用いた場合には、自然色に所望の色合いを付加した状態で被写体を撮影することができる。
【００６３】
また、補助部材を第二の筐体に対して着脱自在に構成することにより、補助部材を所望のものに交換して被写体を撮影することができるようになり、撮影条件を容易に変更することが可能になる。
【００６４】
また、第一の筐体に第二の表示手段を設けることにより、ユーザがユーザ以外の被写体を撮影する場合に、第二の表示手段をファインダとして使用することができる。
【図面の簡単な説明】
【図１】本発明の第一の実施形態に係る携帯電話装置の開いた状態における斜視図である。
【図２】本発明の第一の実施形態に係る携帯電話装置の閉じた状態における斜視図である。
【図３】補助部材を取り付けた状態における本発明の第二の実施形態に係る携帯電話装置の斜視図である。
【図４】補助部材を取り外した状態における本発明の第二の実施形態に係る携帯電話装置の斜視図である。
【図５】本発明の第三の実施形態に係る携帯電話装置を、開いた状態において、後方から見たときの平面図である。
【図６】本発明の第三の実施形態に係る携帯電話装置の回路構造を示すブロック図である。
【符号の説明】
１０　第一の実施形態に係る携帯電話装置
１１　第一の筐体
１２　第二の筐体
１３　ヒンジ機構
１４　操作用ボタン
１５　液晶表示ディスプレイ
１６　アンテナ
２０　レンズ
３０、３１　拡張レンズ
５０　第二の実施形態に係る携帯電話装置
３２　ブロック
４０　スライド部材
１２２　凹部
６０　第三の実施形態に係る携帯電話装置
７０　第二液晶表示ディスプレイ
２０１　カメラ部
２０２　カメラインターフェイス部
２０３　画像メモリインターフェイス部
２０４　画像メモリ
２０８　第一の液晶表示ディスプレイインターフェイス部
２１０　第二の液晶表示ディスプレイインターフェイス部
２１２　制御部
【図１】
2004080343.tif 000003
【図２】
2004080343.tif 000004
【図３】
2004080343.tif 000005
【図４】
2004080343.tif 000006
【図５】
2004080343.tif 000007
【図６】
2004080343.tif 000008